(57)【要約】【課題】樹木の迅速な植栽育成方法を提供する。【解決手段】  本発明の樹木の迅速な植栽育成方法は、以下のステップを含む：樹木の主幹又は主枝上から一段を切断し、枝幹を取得し；枝幹の全部の側枝を切除し、枝幹の上切断端及び側枝を切除してできる傷口箇所に癒合剤を塗布する；枝幹下段周縁に複数の切り溝を切り出し、その下切断端を、斜面を形成するよう切り、枝幹下段周縁及び斜面に発根薬を塗布する；枝幹下段を泥土中に植え込み、枝幹の上段部位及び下段の間に遮蔽物を被せ、更に、数ヶ月培養を行い、枝幹の下段に根部を発生させ、枝幹の上段部位周縁に枝葉を成長させる。【選択図】図１１
2014030418.tif 000002
【特許請求の範囲】
【請求項１】
以下のステップ：
（ａ）樹木の主幹又は主枝上から一段を切断し、枝幹を取得し、枝幹下段は、元々樹木に接続していた下切断端を有し、枝幹は、更に１つの上切断端を有する；
（ｂ）枝幹の全部の側枝を切除し、枝幹の上切断端及び側枝を切除してできる傷口箇所に癒合剤を塗布する；
（ｃ）枝幹下段周縁に複数の切り溝を切り出し、その下切断端を、斜面を形成するよう切り、枝幹下段周縁及び斜面に発根薬を塗布する；
（ｄ）上記ステップ（ａ）、ステップ（ｂ）、ステップ（ｃ）から得られる枝幹下段を泥土中に植え込み、枝幹の上段部位及び下段の間に遮蔽物を被せ、更に、数ヶ月培養を行い、枝幹の下段に根部を発生させ、枝幹の上段部位周縁に枝葉を成長させる；
を含む樹木の迅速な植栽育成方法。
【請求項２】
前記枝幹の上段部位の遮蔽物により被覆されていない長さが１〜２０ｃｍである請求項１に記載の樹木の迅速な植栽育成方法。
【請求項３】
更に、枝幹が根部及び枝葉を発生した後、枝幹周縁の遮蔽物を除去することを含み、且つ使用する遮蔽物が接着膜又はテープである請求項１に記載の樹木の迅速な植栽育成方法。
【請求項４】
前記枝幹下段を泥土に植え込むことが、以下のステップ：湿潤泥土で枝幹下段を覆い、湿潤泥土が数ｃｍの厚さであり、且つ少なくとも1種の発根薬を含む；テープ又は袋で湿潤泥土を被覆する；テープ又は袋で湿潤泥土を１〜８か月覆った後、テープ又は袋を取り外す；湿潤泥土を有するか、有さない枝幹下段を泥土中に植え込む；
を含む請求項１に記載の樹木の迅速な植栽育成方法。
【請求項５】
以下のステップ：
（ａ）樹木から複数の枝幹を取得し、各枝幹は、樹木の主幹又は主枝体の一段を切り取り、各枝幹下段に元々樹木に接続する下切断端を有し、各枝幹は、更に１つの上切断端を有する；
（ｂ）各枝幹の全部の側枝を切除し、各枝幹の上切断端及び側枝を設諸した傷口箇所に癒合剤を塗布する；
（ｃ）各枝幹下段周縁に複数の切り溝を切り出し、その下切断端を斜面に切り出し、各枝幹下段周縁及び斜面に発根薬を塗布する；
（ｄ）上記ステップ（ａ）、上記ステップ（ｂ）、上記ステップ（ｃ）から得られる各枝幹を互いに合わせ、１つにまとめ、各枝幹下段を泥土中に植え込み、各枝幹の上段部位及び下段の間に共同で遮蔽物を被覆し、数ヶ月培養を行い、各枝幹の下段に根部を発出させ、その上段部位周縁に枝葉を成長させる；
を含む樹木の迅速な植栽育成方法。
【請求項６】
前記各枝幹が相互に合わさる部位において、先ず樹皮を除去する請求項５に記載の樹木の迅速な植栽育成方法。
【請求項７】
前記各枝幹の上段部位遮蔽物により被覆されない長さが１〜２０ｃｍであることができ、更に、以下のステップ：
各枝幹に根部及び枝葉が発生後、即ち、各枝幹周縁の遮蔽物を除去し、更に各枝幹の相互に合わさる部位の樹皮を除去し、その後、各枝幹周縁に再度共同で遮蔽部を被覆し、継続して数ヶ月培養し、枝幹を相互に結合させ、枝幹が相互に結合した後、各枝幹周縁の遮蔽物を削除する；
を含む請求項５に記載の樹木の迅速な植栽育成方法。
【請求項８】
前記被覆に使用する遮蔽物が接着膜又はテープである請求項５に記載の樹木の迅速な植栽育成方法。
【請求項９】
更に、枝幹に根部及び枝葉が発生した後、枝幹周縁の遮蔽物を除去することを含む請求項５に記載の樹木の迅速な植栽育成方法。
【請求項１０】
前記枝幹下段を泥土中に植え込むことが以下のステップ：
湿潤泥土で枝幹下段を被覆し、湿潤泥土が数ｃｍの厚さであり、且つ少なくとも1種の発根薬を含む；
テープ又は袋で湿潤泥土を被覆する；テープ又は袋で湿潤泥土を１〜８ヶ月被覆した後、テープ又は袋を除去する；湿潤泥土を有するか、有さない枝幹下段を泥土中に植え込む；
を含む請求項５に記載の樹木の迅速な植栽育成方法。
【発明の詳細な説明】
【技術分野】
【０００１】
本発明は、樹木の迅速植栽育成方法に関し、特に、枝幹の切り取り、植え込みを使用した樹木の迅速植栽育成方法に関する。
【背景技術】
【０００２】
一般の街路樹、造型用樹木又はその他の場所に植栽される比較的大きな樹木の多くは、他の場所から既に所定の大きさまで成長した樹木を移植したものである。移植時、作業員は、先ず、地面に樹木を植栽する穴を掘り、それから、樹木が根付くまで成長させる。
【先行技術文献】
【特許文献】
【０００３】
【特許文献１】特許公表２００７−５３７１７６号公報
【発明の概要】
【発明が解決しようとする課題】
【０００４】
日常生活において、多くの人が草花、樹木を栽植することをしばしば見ることができ、植栽の過程において、各種の異なる感情を得ることができる。しかしながら、樹木は、苗木からゆっくりと成長し、苗木がまだ丈夫に成熟していない時、経常的に面倒を見て保護する必要があり、且つ数年の栽植の後に、樹木は、ようやく適当な樹径まで成長し、相當な人力、時間及び金銭を相対消耗するので、樹木の迅速植栽育成方法が必要である。
【課題を解決するための手段】
【０００５】
本発明の第１観点に基づく樹木の迅速植栽育成方法は、以下のステップを含む：樹木の主幹又は主枝上から一段を切断し、枝幹を取得し、枝幹下段は、元々樹木に接続していた下切断端を有し、枝幹は、更に１つの上切断端を有する；枝幹の全部の側枝を切除し、枝幹の上切断端及び側枝を切除してできる傷口箇所に癒合剤を塗布する；枝幹下段周縁に複数の切り溝を切り出し、その下切断端を、斜面を形成するよう切り、枝幹下段周縁及び斜面に発根薬を塗布する；上記ステップから得られる枝幹下段を泥土中に植え込み、枝幹の上段部位及び下段の間に遮蔽物を被せ、更に、数ヶ月培養を行い、枝幹の下段に根部を発生させ、枝幹の上段部位周縁に枝葉を成長させる。
【０００６】
枝幹の上段部位の遮蔽物により被覆されていない長さが１〜２０ｃｍである。
被覆に使用する遮蔽物は、接着膜又はテープであることができる。
【０００７】
好適実施例において、更に、枝幹が根部及び枝葉を発生した後、枝幹周縁の遮蔽物を除去することを含む。
【０００８】
実施例において、枝幹下段を泥土に植え込むことは、以下を含む：湿潤泥土で枝幹下段を覆う（湿潤泥土が数ｃｍの厚さであり、且つ少なくとも1種の発根薬を含む）；テープ又は袋で湿潤泥土を被覆する；テープ又は袋で湿潤泥土を１〜８か月覆った後、テープ又は袋を取り外す；湿潤泥土を有するか、有さない枝幹下段を泥土中に植え込む。
【０００９】
本発明の第２観点に基づく樹木の迅速植栽育成方法は、以下のステップを含む：複数の枝幹を取得し、各枝幹は、樹木の主幹又は主枝体を一段切り取り、各枝幹下端が元々樹木に接続する下切断端を有し、各枝幹は、更に１つの上切断端を有する；各枝幹の全部の側枝を切除し、各枝幹の上切断端及び側枝を設諸した傷口箇所に癒合剤を塗布する；各枝幹下段周縁に複数の切り溝を切り出し、その下切断端を斜面に切り出し、各枝幹下段周縁及び斜面に発根薬を塗布する；上記ステップから得られる各枝幹を互いに合わせ、１つにまとめ、各枝幹下段を泥土中に植え込み、各枝幹の上段部位及び下段の間に共同で遮蔽物を被覆し、数ヶ月培養を行い、各枝幹の下段に根部を発出させ、その上段部位周縁に枝葉を成長させる。
【００１０】
各枝幹が相互に合わさる部位に先ず樹皮を除去することができる。
【００１１】
各枝幹の上段部位遮蔽物により被覆されない長さが１〜２０ｃｍであることができ、更に、各枝幹に根部及び枝葉が発生後、即ち、各枝幹周縁の遮蔽物を除去し、更に各枝幹の相互に合わさる部位の樹皮を除去し、その後、各枝幹周縁に再度共同で遮蔽部を被覆し、継続して数ヶ月培養し、枝幹を相互に結合させ、枝幹が相互に結合した後、各枝幹周縁の遮蔽物を削除する。
【００１２】
被覆に使用する遮蔽物が接着膜又はテープであることができる。
【００１３】
枝幹に根部及び枝葉が発生した後、枝幹周縁の遮蔽物を除去する。
【００１４】
実施例において、枝幹下段を泥土中に植え込むことが以下を含む：湿潤泥土で枝幹下段を被覆する（湿潤泥土が数ｃｍの厚さであり、且つ少なくとも1種の発根薬を含む）；テープ又は袋で湿潤泥土を被覆する；テープ又は袋で湿潤泥土を１〜８ヶ月被覆した後、テープ又は袋を除去する；湿潤泥土を有するか、有さない枝幹下段を泥土中に植え込む。
【発明の効果】
【００１５】
上記のように、本発明の樹木の迅速な植栽育成方法は、樹木１、１ａの適当な直径の枝幹２を切り取り、迅速な植栽育成を行い、枝幹２の下段に根部を発生させ、枝幹２の上段部位１２周縁に枝葉１４を成長させ、理想的な観賞型樹木１５，１６を迅速成長させる。ここで挙げる本発明の樹木の迅速な栽植育成方法の理論、効果及び貢献は、以下のとおりである。
一、貼り合わせた枝体又は幹体が十分に太く長く、枝体又は幹体上端を初期の数ヶ月に枝葉を発生した余計な部分を適度に切り取り、枝体又は幹体の水分養分が散失して新しい枝葉が消耗する水分及び養分を減少させることを回避し、根部に十分な時間をもたせ成長させ、且つ枝体又は幹体及び新たに発生した枝葉が水分養分の欠乏で枯死しないようにし、樹木挿し木の生存率を大幅に向上させ、挿し木の仮性植生現象を解決する。
二、一般の樹木の残りの枝幹を切り取った後、多くは廃棄物処理とし、以上の生産法は、一般に廃棄物と見なす枝幹を回収して植えることができ、再利用し、終わりなく、廃棄物の環境汚染問題を減少する。
三、樹木を培養する土地を大幅、人力、時間及びその他の関連コストを大幅に低減する。
四、成長した樹木を迅速に大量生産でき、世界各地でこの方式で大量生産し、植え込めば、地球の緑化を促進することができ、省エネ、二酸化炭素を減少し、地球温暖化、砂漠化現象を改善し、地球外観を変化させ、地球気候、生態、人類の生存環境等に対し、大きな貢献をなす。
【図面の簡単な説明】
【００１６】
【図１】本発明の好適実施例の樹木の迅速な植栽育成方法の枝幹の切り取りを行う説明図である。
【図２】図１のもう１種の枝幹の切り取りの説明図である。
【図３】続いて図１の枝幹から側枝を切除する説明図である。
【図４】続いて図３の枝幹に癒合剤を塗布する説明図である。
【図５】続いて図４の枝幹に傾斜切断端を設ける説明図である。
【図６】続いて図５の枝幹に複数の切り溝を設ける説明図である。
【図７】続いて図６の枝幹に発根薬を塗布する説明図である。
【図８】枝幹を泥土に挿入する前に行う処理のもう１つの実施例の説明図である。
【図９】続いて図７の枝幹を泥土中に挿入する説明図である。
【図１０】続いて図９の枝幹に遮蔽物を被せる説明図である。
【図１１】続いて図１０の枝幹に枝葉が生え、遮蔽物を除去する説明図である。
【図１２】本発明の他の実施例の複数の枝幹の遮蔽物を共同で覆う説明図である。
【図１３】続いて図１２の枝幹に枝葉が生え、遮蔽物を除去する説明図である。
【００１７】
本発明が上記目的を達成する為に採用する技術手段及びその効果について、実施例を挙げ、図面を合わせ以下に説明する：
【００１８】
先ず、図１を参照し、本発明の樹木の迅速な栽植育成方法は、主に一般の樹木の種類、例えば、サルスベリ、タッセル、ガジュマル類、アキニレ、アカシダ、アラビカコーヒー、イエローベル、キバナノウゼン、バウヒニア、西インドスグリ、サンゴシトウ、南洋桜、ハイビスカス、青柳、ミフクラギ、クロガネモチ、ソーセージノキ、食用キャンドルウッド、インクツリー、サンゴツリー、クロヨナ、インド紫檀、紫梅等の樹木１に適用する。
【００１９】
本発明の樹木の迅速な植栽育成方法は、工具１７（例えば、鋸）で樹木１上のから枝幹２を切り取り、この枝幹２は、第１及び第３示すように主枝体の一段であるか、図２に示す樹木１ａの主幹体の一段であることができ、枝幹２は、直径が１ｃｍ〜４０ｃｍであることができ、枝幹２の長さは、５０ｃｍ〜３５０ｃｍである。枝幹２下段は、元々樹木１，１ａと接続する下切断端を有し、枝幹２は、上切断端４を有する。
【００２０】
工具１７で枝幹２の全部の側枝３を切除した後、図４に示すように、枝幹２の上切断端４及び側枝３を切除してできる傷口５部位に癒合剤６又はボンド類を塗布し、水分及び養分の流失を防止し、傷口５の癒合を促進し、病菌の感染を防止する。
【００２１】
続いて、枝幹２下段周縁に複数の切り溝８を切り出し、図５及び図６に示すように、枝幹２下切断端が工具１７で斜面７に切り取られ、枝幹２下段周縁及び斜面７に発根薬９を塗布し（図７参照）、例えば、枝幹２底端斜面７を挿入する予定の泥土部分に濃度が適宜な発根剤を浸すか、発根粉を塗布し、発根を促進する。
【００２２】
図９に示すように、上記ステップで得られる枝幹２下段を容器１０の泥土１１中に植え込む。
【００２３】
図８は、他の実施例を示し、即ち、枝幹２下段を湿潤泥土１１Ａ中に挿入し、それは、湿潤泥土１１Ａで枝幹２下段を被覆し（湿潤土１１Ａが数ｃｍの厚さであり且つ少なくとも１種の発根薬）、テープ又は袋１３Ａで湿潤１１Ａを被覆し、テープ又は袋１３Ａに泥土１１Ａを１〜８ヶ月被覆させた後、テープ又は袋１３Ａを除去し、湿潤泥土１１Ａを有するか、有さない枝幹２Ａ下段を泥土１１中に植え込む。
【００２４】
枝幹２の上段部位１２及び下段の間に遮蔽物１３を被覆し（図１０参照）、例えば、枝幹２にテープ、接着布又は接着膜又は類の物品を貼付し、上段部位１２を１〜２０ｃｍだけ被覆されないように保留し、水分及び養分の流失を減少し、枝幹２を数ヶ月培養し、枝幹２の下段に根部を発生させ、枝幹の上段部位１２周縁に枝葉１４を発生させる。例えば、枝幹２を適用な日照環境の場所に安置し、適宜水をあげ、保湿排水し、殺菌、殺虫、殺蚊を行い、発根成長等を促進する薬剤を与え、数ヶ月培養（約３〜１２ヶ月）を行い、枝幹２の下段に根部を発生させ、枝幹２の上段部位１２周縁に枝葉を発生させる（図１１参照）。
【００２５】
成長を継続した後、枝幹２周縁の遮蔽物１３を除去することができ、理想的干渉型樹木１５の迅速な培養を完成する。
【００２６】
図１２及び図１３に示すもう１つの好適実施例を参照し、それは、複数の枝幹２を取得し、各枝幹２が樹木１，１ａの主枝体又は主幹体の一段を切り取り（図１及び図２）、各枝幹２下段に元々樹木１，１ａと接続する下切断端ｎを有し、枝幹２は、上切断端４を有する。枝幹２の全部側枝３を切除した後（図３）、枝幹２の上切断端４及び側枝を切除してできる傷口５部位に癒合剤６を塗布する（図４）。続いて、枝幹２下段周縁に複数の切り溝８を切り出し（図６）、枝幹２の下切断段を斜面７に切り、枝幹２下段周縁及び斜面７に発根薬９を塗布する（図７）。
【００２７】
各枝幹２を相互に併せ、各枝幹２の相互に合わさる部位に予め樹皮を除去することができ、各枝幹２下段を泥土１１中に植え込み、各枝幹２の上段部位１２及び下段の間に遮蔽物１３を共同で被覆し、数ヶ月培養を行い、各枝幹２の下段に根部を発生させ、その上段部位１２周縁に枝葉１４を発生させ、各枝幹２を相互に結合させ、成長を継続した後、枝幹２周縁の遮蔽物１３を除去することができ、比較的大きな樹径の観賞型樹木１６を迅速に培養する。
【００２８】
１番目の例のように、枝幹２の上段部位１２の遮蔽物１３で被覆されていない長さが１〜２０ｃｍであることができる。
【００２９】
このほか、各枝幹２が根部及び枝葉１４を発生した後、先ず、各枝幹２周縁の遮蔽物１３を除去し、各枝幹２の相互に合わさる部位の樹皮を除去し、その後、各樹脂２周縁に再度遮蔽物１３を共同で被覆し、数ヶ月培養を継続し、枝幹２を相互に結合させ、枝幹２が相互に結合した後、遮蔽物１３を除去することができる。
【００３０】
上記のように、本発明の樹木の迅速な植栽育成方法は、樹木１、１ａの適当な直径の枝幹２を切り取り、迅速な植栽育成を行い、枝幹２の下段に根部を発生させ、枝幹２の上段部位１２周縁に枝葉１４を成長させ、理想的な観賞型樹木１５，１６を迅速成長させる。ここで挙げる本発明の樹木の迅速な栽植育成方法の理論、効果及び貢献は、以下のとおりである。
一、 貼り合わせた枝体又は幹体が十分に太く長く、枝体又は幹体上端を初期の数ヶ月に枝葉を発生した余計な部分を適度に切り取り、枝体又は幹体の水分養分が散失して新しい枝葉が消耗する水分及び養分を減少させることを回避し、根部に十分な時間をもたせ成長させ、且つ枝体又は幹体及び新たに発生した枝葉が水分養分の欠乏で枯死しないようにし、樹木挿し木の生存率を大幅に向上させ、挿し木の仮性植生現象を解決する。
二、 一般の樹木の残りの枝幹を切り取った後、多くは廃棄物処理とし、以上の生産法は、一般に廃棄物と見なす枝幹を回収して植えることができ、再利用し、終わりなく、廃棄物の環境汚染問題を減少する。
三、 樹木を培養する土地を大幅、人力、時間及びその他の関連コストを大幅に低減する。
四、 成長した樹木を迅速に大量生産でき、世界各地でこの方式で大量生産し、植え込めば、地球の緑化を促進することができ、省エネ、二酸化炭素を減少し、地球温暖化、砂漠化現象を改善し、地球外観を変化させ、地球気候、生態、人類の生存環境等に対し、大きな貢献をなす。
【００３１】
上記の実施例は、本発明の実施形態を例示すること、及び本発明の技術特徴を理解することに用いるものであり、本発明の保護範疇を制限することに用いるのではない。
【符号の説明】
【００３２】
１  樹木
１ａ  樹木
２  枝幹
３  側枝
４  上切断端
５  傷口
６  癒合剤
７  斜面
８  切り溝
９  発根薬
１０  容器
１１  泥土
１１Ａ  湿潤泥土
１２  上段部位
１３  遮蔽物
１３Ａ  テープ又は袋
１４  枝葉
１５  樹木
１６  樹木
１７  工具
【図１】
2014030418.tif 000003
【図２】
2014030418.tif 000004
【図３】
2014030418.tif 000005
【図４】
2014030418.tif 000006
【図５】
2014030418.tif 000007
【図６】
2014030418.tif 000008
【図７】
2014030418.tif 000009
【図８】
2014030418.tif 000010
【図９】
2014030418.tif 000011
【図１０】
2014030418.tif 000012
【図１１】
2014030418.tif 000013
【図１２】
2014030418.tif 000014
【図１３】
2014030418.tif 000015